【手続補正書】
【提出日】平成17年7月5日(2005.7.5)
【手続補正１】
【補正対象書類名】明細書
【補正対象項目名】発明の名称
【補正方法】変更
【補正の内容】
【発明の名称】Ｘ線検出表示器及びＸ線画像診断装置
【手続補正２】
【補正対象書類名】明細書
【補正対象項目名】特許請求の範囲
【補正方法】変更
【補正の内容】
【特許請求の範囲】
【請求項１】
被検体の透過Ｘ線を検出し、この透過Ｘ線を画像データとして出力する平板状のパネル型Ｘ線検出器と、
このパネル型Ｘ線検出器からの画像データを表示部に表示する平板状の表示器と、
上記パネル型Ｘ線検出器に対して上記表示器を任意の位置関係に配置可能に結合する自在ジョイント部と、
を備えたことを特徴とするＸ線検出表示器。
【請求項２】
上記表示器の一部には、パネル型Ｘ線検出器と表示器との配置の位置関係に応じて該表示器の表示部に表示される撮影画像の表示方向を切り換える切換手段を設けたことを特徴とする請求項１記載のＸ線検出表示器。
【請求項３】
上記表示器の一部には、得られた撮影画像のデータを他の装置へ転送するためのネットワーク接続手段を設けたことを特徴とする請求項１又は２記載のＸ線検出表示器。
【請求項４】
被検体に向けてＸ線を放射するＸ線源と、
このＸ線源に対向配置され、上記Ｘ線源から被検体に放射されたＸ線の透過Ｘ線を検出し、この透過Ｘ線を画像データとして出力する平板状のパネル型Ｘ線検出器と、
このパネル型Ｘ線検出器からの画像データを表示部に表示する平板状の表示器と、
上記パネル型Ｘ線検出器に対して上記表示器を任意の位置関係に配置可能に結合する自在ジョイント部と、
を備えたことを特徴とするＸ線画像診断装置。
【請求項５】
上記表示器の一部には、パネル型Ｘ線検出器と表示器との配置の位置関係に応じて該表示器の表示部に表示される撮影画像の表示方向を切り換える切換手段を設けたことを特徴とする請求項４記載のＸ線画像診断装置。
【請求項６】
上記表示器の一部には、得られた撮影画像のデータを他の装置へ転送するためのネットワーク接続手段を設けたことを特徴とする請求項４又は５記載のＸ線画像診断装置。
【請求項７】
上記Ｘ線源とパネル型Ｘ線検出器とを、Ｃ形又はＵ形に形成されたアーム部材の両端部に取り付け、このアーム部材を駆動部で揺動可能及び回転可能に支持したことを特徴とする請求項４記載のＸ線画像診断装置。
【手続補正３】
【補正対象書類名】明細書
【補正対象項目名】０００１
【補正方法】変更
【補正の内容】
【０００１】
【発明の属する技術分野】
本発明は、被検体にＸ線を放射しその透過Ｘ線を画像化して表示し目的部位の診断に役立てるＸ線画像診断装置に関し、特に、平板状のパネル型Ｘ線検出器と平板状の表示器とを備えて小型化し、該パネル型Ｘ線検出器に対して表示器を任意の位置関係に配置可能として最適な配置を行うことができるＸ線検出表示器及びＸ線画像診断装置に関する。
【手続補正４】
【補正対象書類名】明細書
【補正対象項目名】０００６
【補正方法】変更
【補正の内容】
【０００６】
そこで、本発明は、このような問題点に対処し、平板状のパネル型Ｘ線検出器と平板状の表示器とを備えて小型化し、該パネル型Ｘ線検出器に対して表示器を任意の位置関係に配置可能として最適な配置を行うことができるＸ線検出表示器及びＸ線画像診断装置を提供することを目的とする。
【手続補正５】
【補正対象書類名】明細書
【補正対象項目名】０００７
【補正方法】変更
【補正の内容】
【０００７】
【課題を解決するための手段】
上記目的を達成するために、第一の発明によるＸ線検出表示器は、被検体の透過Ｘ線を検出し、この透過Ｘ線を画像データとして出力する平板状のパネル型Ｘ線検出器と、このパネル型Ｘ線検出器からの画像データを表示部に表示する平板状の表示器と、上記パネル型Ｘ線検出器に対して上記表示器を任意の位置関係に配置可能に結合する自在ジョイント部と、を備えたものである。
また、上記表示器の一部には、パネル型Ｘ線検出器と表示器との配置の位置関係に応じて該表示器の表示部に表示される撮影画像の表示方向を切り換える切換手段を設けてもよい。
さらに、上記表示器の一部には、得られた撮影画像のデータを他の装置へ転送するためのネットワーク接続手段を設けてもよい。
【手続補正６】
【補正対象書類名】明細書
【補正対象項目名】０００８
【補正方法】変更
【補正の内容】
【０００８】
第二の発明によるＸ線画像診断装置は、被検体に向けてＸ線を放射するＸ線源と、このＸ線源に対向配置され、上記Ｘ線源から被検体に放射されたＸ線の透過Ｘ線を検出し、この透過Ｘ線を画像データとして出力する平板状のパネル型Ｘ線検出器と、このパネル型Ｘ線検出器からの画像データを表示部に表示する平板状の表示器と、上記パネル型Ｘ線検出器に対して上記表示器を任意の位置関係に配置可能に結合する自在ジョイント部と、を備えたものである。
また、上記表示器の一部には、パネル型Ｘ線検出器と表示器との配置の位置関係に応じて該表示器の表示部に表示される撮影画像の表示方向を切り換える切換手段を設けてもよい。
さらに、上記表示器の一部には、得られた撮影画像のデータを他の装置へ転送するためのネットワーク接続手段を設けてもよい。
【手続補正７】
【補正対象書類名】明細書
【補正対象項目名】０００９
【補正方法】変更
【補正の内容】
【０００９】
そして、上記Ｘ線源とパネル型Ｘ線検出器とを、Ｃ形又はＵ形に形成されたアーム部材の両端部に取り付け、このアーム部材を駆動部で揺動可能及び回転可能に支持してもよい。
【手続補正８】
【補正対象書類名】明細書
【補正対象項目名】００１０
【補正方法】変更
【補正の内容】
【００１０】
【発明の実施の形態】
以下、本発明の実施の形態を添付図面に基づいて詳細に説明する。
図１は本発明によるＸ線画像診断装置の実施の形態を示す装置概要図である。このＸ線画像診断装置は、被検体にＸ線を放射しその透過Ｘ線を画像化して表示し目的部位の診断に役立てるもので、図１に示すように、Ｘ線管球１と、パネル型Ｘ線検出器２と、表示器３と、自在ジョイント部４とを備えてなる。
【手続補正９】
【補正対象書類名】明細書
【補正対象項目名】００１６
【補正方法】変更
【補正の内容】
【００１６】
そして、上記パネル型Ｘ線検出器２と表示器３とは自在ジョイント部４で結合されている。この自在ジョイント部４は、上記パネル型Ｘ線検出器２に対して表示器３を任意の位置関係に配置可能に結合するもので、例えば外周面が蛇腹状に形成された所定の長さのパイプ状部材から成り、いかなる方向にも折り曲げたり、伸ばしたり、捻じったりしてその状態で固定できるようになっている。なお、この自在ジョイント部４の内部には、上記パネル型Ｘ線検出器２で検出した画像データを表示器３に転送するためのケーブルが通されている。そして、上記パネル型Ｘ線検出器２と表示器３と自在ジョイント部４とで、Ｘ線検出表示器を構成している。
【手続補正１０】
【補正対象書類名】明細書
【補正対象項目名】００１７
【補正方法】変更
【補正の内容】
【００１７】
次に、このように構成されたＸ線検出表示器及びＸ線画像診断装置における撮影動作について説明する。図１において、まず、テーブル１０の上面に被検体１１を寝載させる。そして、上記テーブル１０の下方側にて伸縮軸８を伸縮させてＸ線管球１を被検体１１の真下に位置させると共に、テーブル１０の上方側にてアーム９を任意の高さ、位置、角度で張り出してパネル型Ｘ線検出器２を被検体１１の撮影したい部位へ位置させる。そして、上記パネル型Ｘ線検出器２に対して自在ジョイント部４で結合された表示器３をいろいろな角度、方向に配置して、術者が撮影画像を見やすい位置に該表示器３を配置する。図１では、パネル型Ｘ線検出器２に対して蓋を開いた状態に表示器３を傾斜させて配置している。
【手続補正１１】
【補正対象書類名】明細書
【補正対象項目名】００２９
【補正方法】変更
【補正の内容】
【００２９】
なお、以上の説明では、Ｘ線源としてはＸ線管球１を例に上げたが、Ｘ線を発生する装置であればいかなるものに対しても本発明を適用することができる。また、本発明におけるＸ線検出表示器を、Ｘ線ＣＴ装置の補助的な撮影用、例えばスキャノグラム像等の撮影に用いてもよく、或いはＣアームによるＸ線撮影システムにおいて同様に置き換えてもよい。したがって、Ｘ線を発生するＸ線源とは別個独立に使用することも可能である。
【手続補正１２】
【補正対象書類名】明細書
【補正対象項目名】００３０
【補正方法】変更
【補正の内容】
【００３０】
【発明の効果】
本発明は以上のように構成されたので、第一の発明によるＸ線検出表示器によれば、平板状のパネル型Ｘ線検出器と平板状の表示器とを自在ジョイント部で結合して小型化し、該パネル型Ｘ線検出器に対して表示器を任意の位置関係に配置可能として最適な配置を行うことができる。
また、第二の発明によるＸ線画像診断装置によれば、Ｘ線源から被検体に向けてＸ線を放射し、このＸ線源に対向配置されたパネル型Ｘ線検出器により、上記Ｘ線源から被検体に放射されたＸ線の透過Ｘ線を検出して画像データとして出力し、このパネル型Ｘ線検出器からの画像データを表示器の表示部に表示し、上記パネル型Ｘ線検出器と表示器とを結合する自在ジョイント部により、上記パネル型Ｘ線検出器に対して表示器を任意の位置関係に配置可能とすることができる。この場合、術者は、表示器の表示部に表示される画像を観察しながら弱Ｘ線を出力させて、パネル型Ｘ線検出器の位置決めを正確に行うことができる。したがって、被検体に対する不要なＸ線被曝を防止することができる。また、Ｘ線撮影後すぐに撮影画像を確認できるので、撮影の失敗がなくなる。